(57)【特許請求の範囲】
【請求項１】
ＰＥＴ製シートを打ち抜いて形成される包装用のプラスチックケースであって、物品を収納する箱部の上方に、吊り下げ穴を設けるシート部分が延設されてなり、前記吊り下げ穴を設けるシート部分を折曲線を介して二つ折り部とすると共に、吊り下げ穴を、上記折曲線をはさんで二つ折り状態で重合するように連続し、且つ当該折曲線部分が吊り下げ杆の太さよりも狭い幅に開口し、両側部が吊り下げ杆の太さよりも広い幅に開口した連続穴として形成した構成を有する吊り下げ穴付プラスチックケース。
【発明の詳細な説明】
【０００１】
【発明の属する技術分野】
本発明は、化粧品、菓子類、その他の適宜物品を収納し、吊り下げ展示するのに好適な打ち抜きにより形出可能な包装用プラスチックケースに関する。
【０００２】
【従来の技術】
商品を収納したプラスチックケースは、商品を保護しつつ見栄えよく展示するために、適度な強度（剛性）を有し、透明度の高いプラスチックシート、例えばポリエチレンテレフタレート（ＰＥＴ）、特にアモルファスポリエチレンテレフタレート（Ａ−ＰＥＴ）などで成形されたシートによって作られており、圧空真空成形、その他のサーモフォーミング法などによってシートを収納空間を有したケース形態に成形し、打ち抜いて形出すると共に、吊り下げタイプのものはシート基板上部に吊り下げ用のフック穴を円形に打ち抜き形成していた。
【０００３】
【発明が解決しようとする課題】
しかしながら、ケース形成過程で小さい穴を打ち抜けば、小さい抜きカスが散乱するので、この抜きカスを除去する手間が必要であった。また、抜きカスは小さいためプラスチックシート面に密着しやすく、収納物を収納する次工程や商品展示の店頭まで付着したままとなることもあり、或いはケース内に落ち込み、収納物と混在してしまうこともあり、さらには、成形装置や包装装置の機器の隙間に入り込んでしまうこともあった。
このため、抜きカスを取り除く工程が必要となって、コストアップにつながり、或いは製品の見栄えを悪くし、或いはまた、商品の品質を低下させることにもつながっていた。
【０００４】
本発明は、上記のような問題点に着眼し、小さい穴の抜きカスが散乱する従来の形成方法を改善し、吊り下げ穴の打ち抜き形成をより効率化し、併せて生じる抜きカスを散乱しにくくし、抜けカス処理を行いやすいようにし得る吊り下げ穴付プラスチックケースを提供すると同時に、陳列用の吊り下げ杆の先端だけでなく、杆の途中からも商品をかけることができ、また、取り外す際も途中から商品を取り外すことができる使用に便利なプラスチックケースを提供せんとするものである。
【０００５】
【課題を解決するための手段】
上記課題を解決するために、本発明は、ＰＥＴ製シートを打ち抜いて形成される包装用のプラスチックケースであって、物品を収納する箱部の上方に、吊り下げ穴を設けるシート部分が延設されてなり、前記吊り下げ穴を設けるシート部分を折曲線を介して二つ折り部とすると共に、吊り下げ穴を、上記折曲線をはさんで二つ折り状態で重合するように連続し、且つ当該折曲線部分が吊り下げ杆の太さよりも狭い幅に開口し、両側部が吊り下げ杆の太さよりも広い幅に開口した連続穴として形成し吊り下げ穴付プラスチックケースを構成したものである。
折曲線部分で狭まった開口首部は、収納状態のプラスチックケースを吊り下げるための吊り下げ杆への係止部となるので、吊り下げ杆の太さよりも狭い幅として形成し、両側部の広がった穴部は吊り下げ杆の太さよりも広い幅として形成してある。
【０００６】
【発明の実施の形態】
以下、本発明を一実施例として示した図面によって説明する。
図１は本発明に係る包装用プラスチックケースの二つ折り部分を展開した状態の正面図、図２は二つ折り部分の折り重ね状態図、図３は吊り下げ穴の変形例を示した二つ折り部分図である。
【０００７】
図１に例示した包装用プラスチックケースは、折曲線を介在させて打ち抜き成形した包装用プラスチックシートを折曲し組み立てて箱部５を形成すると共に、箱部５の背面はそのまま上方に適当長さに延設させてなり、この延設部の中間部に水平な折曲線１を形成し、この折曲線１は折曲げ罫線、ミシン目など任意の折曲可能な筋状でよく、延設部のうち折曲線１の下部を適宜表示面を兼ねる基板部２ａとし、上部を折返し部２ｂとして二つ折り部２となした構成としてあり、
かつ、折曲線１を中心にして二つ折り部両側に、適当な長さの狭幅な開口首部４を介して該開口首部４よりも広幅の穴部３，３を連続穴として形成し、この連続穴は打ち抜きにより一体に形成し、吊り下げ穴を設けてある。
【０００８】
図では、穴部３は円形穴とし、折曲線１の一方側の開口首部４と穴部３とは鍵穴状となっており、開口首部４の折曲線１との交差部は、角を尖らせないように丸み部４ａとして形成し、開口首部４の長さは、二つ折り状態でケースを吊り下げた際に穴部３に挿入された吊り下げ杆（図示せず）に掛かる荷重の応力が働いても、係止部となった開口首部のシート部分が変形しない（撓まない）ような強度を有する程度の適当長さを持たせるのが好ましい。
なお、上記の各部の形状は適宜に異なる形状とすることができるものである。
【０００９】
上記構成の包装用プラスチックケースは、図２のように二つ折り部２を二つ折りして、基板部２ａと折返し部２ｂとを重ねて、これを適宜手段で止め或いは止めずに、図示しないが合致した穴部３，３を吊り下げ杆に挿通し、開口首部４のシート部分が係止部となってケースを吊り下げることができる。
【００１０】
図３は、吊り下げ穴の変形の一例を示してあり、折曲線１の両側に、円形の穴部３，３を、その円弧の一部が互いに重なり合って折曲線１の一部にかかる状態で打ち抜き形成し、折曲線１部分に幅が狭まった尖り状の開口首部４を形成し、この尖り部分を丸み部４ａに形成してある。
なお、吊り下げ穴を、上記とさらに異なる連続開口形状とすることができる。
【００１１】
上記のような吊り下げ穴を形成すれば、打ち抜いた際に除去される抜きカスは、従来のような小さい抜きカスに比して少なくとも２倍以上の連続１個の大きな抜きカスとなるので、まとめ処理がしやすく、散乱付着も少なくすることができる。また、打ち抜き加工が１回で済み、施工性を高め得る。
【００１２】
【発明の効果】
このようにして、本発明によれば、一回の打ち抜きでよいので吊り下げ穴の形成をより効率化することができ、併せて抜きカスは、穴形成面周囲の除去部分と連続状態の除去部分となり、或いは、穴の一部に切断されずに仮止め状態で付着して吊り下げ穴付プラスチックケースを形成できるので、抜きカスの散乱、不用意な付着を防止でき、或いは抜きカスを生じさせない。
しかも、陳列用の吊り下げ杆の先端だけでなく、杆の途中からも商品をかけることができ、また、取り外す際も途中から商品を取り外すことができ、使用に便利である。
【図面の簡単な説明】
【図１】本発明に係る包装用プラスチックケースの二つ折り部分を展開した状態の正面図である。
【図２】図１の二つ折り部分を折り重ねた状態を示す部分斜視図である。
【図３】吊り下げ穴の変形の一例を示す二つ折り部の部分正面図である。
【符号の説明】
１        折曲線
２        二つ折り部
２ａ      基板部
２ｂ      折返し部
３        穴部
４        開口首部
４ａ      丸み部
５        箱部
【図１】
0003964586.tif 000002
【図２】
0003964586.tif 000003
【図３】
0003964586.tif 000004